(57)【特許請求の範囲】
【請求項１】
プライベートエリア内に設置され、位置登録処理に用いる契約者情報、前記プライベートエリアと接続されたパブリックエリア内に設置された他の装置や当該プライベートエリア及び当該パブリックエリアと接続されたネットワークへのアクセスに用いるアクセス情報及び前記アクセスの履歴を表す履歴情報を含むユーザ情報を保持する保持手段と、前記ユーザ情報の送受信を行い、前記保持手段に保持されたユーザ情報を管理する基地局制御手段と、を有する基地局装置との間で前記ユーザ情報の送受信を行うとともに、前記基地局装置から取得したユーザ情報を管理する移動局制御手段を有し、
自己の前記ユーザ情報をあらかじめ保持せず、前記パブリックエリアと接続されており、
前記移動局制御手段は、
自己の電源ＯＮ後に、前記パブリックエリアを介して前記基地局装置から前記ユーザ情報を取得して一時的に保存し、
前記一時的に保存したユーザ情報に含まれる前記アクセス情報を用いて、前記他の装置や前記ネットワークへのアクセスを行う場合、前記パブリックエリアを介して前記基地局装置に前記履歴情報を送信して、前記基地局制御手段において、前記パブリックエリアを介して前記移動局装置からの前記履歴情報を受信させ、該履歴情報を用いて前記保持手段に保存されたユーザ情報を更新させ、
自己の電源ＯＦＦ前に、前記一時的に保存したユーザ情報を削除することを特徴とする移動局装置。
【請求項２】
前記移動局制御手段は、該移動局装置の位置登録処理前に、前記パブリックエリアを介して前記基地局装置に対して認証要求を行い、前記基地局装置で認証が行われ送信された契約者情報を前記パブリックエリアを介して受信して一時的に保存し、該移動局装置の位置登録解除処理後に、前記一時的に保存した契約者情報を削除することを特徴とする請求項１に記載の移動局装置。
【請求項３】
前記移動局制御手段は、
前記他の装置や前記ネットワークへのアクセスを行う前に、前記パブリックエリアを介して前記基地局装置に対して前記アクセス情報の取得要求を行い、
前記パブリックエリアを介して前記基地局装置からのアクセス情報を受信して一時的に保存し、
前記アクセス情報を用いたアクセスの結果として履歴情報を前記パブリックエリアを介して前記基地局装置に送信し、
前記アクセスを行った後に、前記一時的に保存したアクセス情報を削除することを特徴とする請求項１又は２に記載の移動局装置。
【請求項４】
プライベートエリア内に設置され、
移動局装置の位置登録処理に用いる契約者情報、前記プライベートエリアと接続されたパブリックエリア内に設置された他の移動局装置や当該プライベートエリア及び当該パブリックエリアと接続されたネットワークへのアクセスに用いるアクセス情報及び前記アクセスの履歴を表す履歴情報を含むユーザ情報を保持する保持手段と、
前記パブリックエリアを介して前記保持手段から取得したユーザ情報を管理する前記移動局装置との間で前記ユーザ情報の送受信を行うとともに、前記保持手段に保持されたユーザ情報を管理する基地局制御手段と、を有し、
前記基地局制御手段は、
自己のユーザ情報をあらかじめ保持せず、前記パブリックエリアと接続されている前記移動局装置の電源ＯＮ後に、前記パブリックエリアを介して当該移動局装置へ前記ユーザ情報を送信し、
前記移動局装置が前記一時的に保存したユーザ情報に含まれる前記アクセス情報を用いて、前記他の移動局装置や前記ネットワークへのアクセスを行う場合に、前記パブリックエリアを介して当該移動局装置から送信される前記履歴情報を受信し、該履歴情報を用いて前記保持手段に保存されたユーザ情報を更新することを特徴とする基地局装置。
【請求項５】
前記基地局制御手段は、前記移動局装置のユーザを認証する認証手段を有し、前記パブリックエリアを介した前記移動局装置からの認証要求に応じて前記認証手段によるユーザ認証を行って、前記パブリックエリアを介して前記移動局装置に前記契約者情報を送信することを特徴とする請求項４に記載の基地局装置。
【請求項６】
前記基地局制御手段は、前記パブリックエリアを介した前記移動局装置からの前記アクセス情報の取得要求に応じて前記パブリックエリアを介して前記移動局装置に前記アクセス情報を送信し、前記パブリックエリアを介して前記移動局装置からの前記履歴情報を受信し、該履歴情報を用いて前記保持手段に保存されたユーザ情報を更新することを特徴とする請求項４又は５に記載の基地局装置。
【請求項７】
プライベートエリア内に設置され、
移動局装置の位置登録処理に用いる契約者情報、前記プライベートエリアと接続されたパブリックエリア内に設置された他の移動局装置や当該プライベートエリア及び当該パブリックエリアと接続されたネットワークへのアクセスに用いるアクセス情報及び前記アクセスの履歴を表す履歴情報を含むユーザ情報を保持する保持手段と、
前記移動局装置との間で前記ユーザ情報の送受信を行うとともに、前記保持手段に保持されたユーザ情報を管理する基地局制御手段と、を有する基地局装置と、
前記基地局装置との間で前記ユーザ情報の送受信を行うとともに、前記基地局装置から取得したユーザ情報を管理する移動局制御手段を有する移動局装置と、を備え、
前記移動局装置は、該移動局装置のユーザ情報をあらかじめ保持せず、前記パブリックエリアと接続されており、
前記移動局制御手段は、
前記移動局装置の電源ＯＮ後に、前記パブリックエリアを介して前記基地局装置から前記ユーザ情報を取得して一時的に保存し、
前記一時的に保存したユーザ情報に含まれる前記アクセス情報を用いて、前記他の移動局装置や前記ネットワークへのアクセスを行う場合、前記パブリックエリアを介して前記基地局装置に前記履歴情報を送信し、
前記基地局制御手段は、前記パブリックエリアを介して前記移動局装置からの前記履歴情報を受信し、該履歴情報を用いて前記保持手段に保存されたユーザ情報を更新し、
前記移動局制御手段は、前記移動局装置の電源ＯＦＦ前に、前記一時的に保存したユーザ情報を削除することを特徴とする移動通信システム。
【請求項８】
プライベートエリア内に設置され、自己の位置登録処理に用いる契約者情報、前記プライベートエリアと接続されたパブリックエリア内に設置された他の装置や当該プライベートエリア及び当該パブリックエリアと接続されたネットワークへのアクセスに用いるアクセス情報及び前記アクセスの履歴を表す履歴情報を含むユーザ情報を予め保持せず、前記パブリックエリアと接続されている移動局装置において、該移動局装置の電源ＯＮ後に、前記ユーザ情報を保持する保持手段を備える基地局装置に対して前記パブリックエリアを介して前記ユーザ情報の取得要求を行い、
前記基地局装置において、前記取得要求に応じて前記移動局装置に前記パブリックエリアを介して前記ユーザ情報を送信し、
前記移動局装置において、前記基地局装置から前記パブリックエリアを介して前記ユーザ情報を取得して一時的に保存し、
前記移動局装置において、前記一時的に保存したユーザ情報に含まれる前記アクセス情報を用いて、前記他の装置や前記ネットワークへのアクセスを行う場合、前記パブリックエリアを介して前記基地局装置に前記履歴情報を送信し、
前記基地局装置において、前記パブリックエリアを介して前記移動局装置からの前記履歴情報を受信し、該履歴情報を用いて前記保持手段に保存されたユーザ情報を更新し、
前記移動局装置において、前記移動局装置の電源ＯＦＦ前に、前記一時的に保存したユーザ情報を削除することを特徴とする通信制御方法。
【請求項９】
プライベートエリア内に設置され、位置登録処理に用いる契約者情報、前記プライベートエリアと接続されたパブリックエリア内に設置された他の装置や当該プライベートエリア及び当該パブリックエリアと接続されたネットワークへのアクセスに用いるアクセス情報及び前記アクセスの履歴を表す履歴情報を含むユーザ情報を保持する保持手段を備える基地局装置に対して、自己の電源ＯＮ後に、前記パブリックエリアを介して前記ユーザ情報の取得要求を行う処理と、
前記パブリックエリアを介して前記基地局装置から取得した前記ユーザ情報を一時的に保存する処理と、
前記一時的に保存したユーザ情報に含まれる前記アクセス情報を用いて、前記他の装置や前記ネットワークへのアクセスを行う場合、前記パブリックエリアを介して前記基地局装置に前記履歴情報を送信する処理と、
自己の電源ＯＦＦ前に、前記一時的に保存したユーザ情報を削除する処理と、
を前記ユーザ情報をあらかじめ保持せず、前記パブリックエリアと接続されている移動局装置のコンピュータに実行させることを特徴とするプログラム。
【請求項１０】
プライベートエリアと接続されたパブリックエリアを介して接続される移動局装置から、当該移動局装置の位置登録処理に用いる契約者情報、当該パブリックエリア内に設置された他の移動局装置や当該プライベートエリア及び当該パブリックエリアと接続されたネットワークへのアクセスに用いるアクセス情報及び前記アクセスの履歴を表す履歴情報を含むユーザ情報の取得要求を、当該ユーザ情報をあらかじめ保持しない前記移動局装置の電源ＯＮ後に受信する処理と、
当該取得要求に応じて前記パブリックエリアを介して前記移動局装置へ前記ユーザ情報を送信する処理と、
前記移動局装置が前記一時的に保存したユーザ情報に含まれる前記アクセス情報を用いて、前記他の装置や前記ネットワークへのアクセスを行う場合に、前記パブリックエリアを介して当該移動局装置から送信される前記履歴情報を受信し、該履歴情報を用いて前記保持手段に保存されたユーザ情報を更新する処理と、
を前記プライベートエリア内に設置され、前記ユーザ情報を保持する保持手段を備える基地局装置のコンピュータに実行させることを特徴とするプログラム。
【発明の詳細な説明】
【技術分野】
【０００１】
本発明は、移動通信システム、移動局装置、基地局装置、通信制御方法及びプログラムが格納された記録媒体に関し、特に、セキュリティ強化を狙う移動通信システムに好ましく適用される技術に関するものである。
【背景技術】
【０００２】
移動通信システムにおけるＡｔｔａｃｈ／Ｄｅｔａｃｈの動作について図８を参照して説明する。また、移動通信システムにおける発信／着信の動作について図９を参照して説明する。Ａｔｔａｃｈは、携帯電話機等の移動局装置がネットワークに対して位置登録する処理である。通常、Ａｔｔａｃｈは、移動局装置の電源が投入されたときや移動局装置がセル間を移動したときに実行される。Ｄｅｔａｃｈは、移動局装置がネットワークに対する位置登録を解除する処理である。通常、Ｄｅｔａｃｈは、移動局装置の電源切断時に実行される。【０００３】
図８において、移動局１００は、Ｐｏｗｅｒ  ＯＮ（Ｓ５００）後、移動局１００内に保存しているＵＳＩＭ（Universal Subscriber Identity Module）情報を読み出す（Ｓ５０１）。そして、移動局１００は、移動局１００、無線基地局１２０及びＣＮ（コアネットワーク）１３０の間で、ＵＳＩＭ情報に基づくＡｔｔａｃｈ手順を実施する（Ｓ５０２）。その後、移動局１００は、待ち受け画面の表示を行う（Ｓ５０３）。所定の時間が経過した後、移動局１００は、移動局１００、無線基地局１２０及びＣＮ１３０の間で、Ｄｅｔａｃｈ手順を実施する（Ｓ５０４）。但し、その際、移動局１００は、ＵＳＩＭ情報の消去を実施しない。【０００４】
また、図９において、移動局１００は、待ち受け画面が表示されている状態（Ｓ６００）から発信又は着信（Ｓ６０１）を実施する場合、移動局１００内のユーザ情報を読み出す（Ｓ６０２）。そして、移動局１００は、移動局１００内に履歴を保存する（Ｓ６０３）。その後、移動局１００は、発信又は着信手順を実施（Ｓ６０４）し、無線基地局１２０及びＣＮ１３０と接続（Ｓ６０５）する。終話手順（Ｓ６０６）を実施後、移動局１００は、ユーザ情報を消去することなく待ち受け画面の表示となる（Ｓ６０７）。
【０００５】
上記の移動通信システムでは、ユーザが移動局装置を紛失し、当該移動局装置が第三者に渡ってしまった場合、移動局装置の内部に残っているユーザ情報が第三者に知られてしまうおそれがある。これに対して、例えば特許文献１では、紛失したことが判明した時点で、無線の届く範囲にいる移動局に対して遠隔でユーザ情報を消去する移動無線電話システムが提案されている。特許文献１の移動無線電話システムでは、基地局が移動局の位置登録を確認した場合、基地局がユーザ情報転送信号を移動局へ送信し、該信号を受信した移動局は内部に記憶していたユーザ情報を基地局に転送した後に消去する。
【先行技術文献】
【特許文献】
【０００６】
【特許文献１】特開２０００−２２４６６０号公報
【発明の概要】
【発明が解決しようとする課題】
【０００７】
上述した一般の移動通信システムや特許文献１の移動無線電話システムには以下のような課題がある。第１の課題は、移動局内にＵＳＩＭ情報や電話帳情報等のユーザ情報を保存しているため、移動局の紛失や盗難時にユーザ情報を失ってしまうとともに、ユーザ情報が第三者に流出してしまう可能性が高いことである（一般の移動通信システムが持つ課題）。第２の課題は、ユーザ情報を保持した状態で紛失や盗難にあった移動局が無線の届く範囲にない場合、遠隔でユーザ情報を消去できずに第三者に流出してしまう可能性が高いことである（特許文献１の移動無線電話システムでも解決が困難な課題）。【０００８】
このように、第三世代等の現在の移動通信システムにおいて、ユーザ情報は移動局内に保持されており、遠隔で移動局内のユーザ情報を消去する方法や移動局の操作をロックする方法が実現されているが、電波が届かないところでは機能しないため、依然として移動局の紛失や盗難時にユーザ情報を流出する危険性をはらんでいる。【０００９】
そこで、本発明は、移動局装置が紛失したりや盗難にあったりした場合にユーザ情報が第三者へ流出するリスクを最小化することを目的とする。
【課題を解決するための手段】
【００１０】
かかる目的を達成するために、本発明の移動通信システムは、無線を介して接続される移動局装置の位置登録処理に用いる契約者情報、他の移動局装置やネットワークへのアクセスに用いるアクセス情報及び前記アクセスの履歴を表す履歴情報を含むユーザ情報を保持する保持部と、移動局装置との間でユーザ情報の送受信を行うとともに、保持部に保持されたユーザ情報を管理する基地局制御部と、を有する基地局装置と、基地局装置との間でユーザ情報の送受信を行うとともに、基地局装置から取得したユーザ情報を管理する移動局制御部を有する移動局装置と、を備え、移動局装置は、該移動局装置のユーザ情報をあらかじめ保持せず、該移動局装置の電源ＯＮ後に、前記移動局制御部が基地局装置からユーザ情報を取得して一時的に保存する。【００１１】
また、本発明の移動局装置は、位置登録処理に用いる契約者情報、他の装置やネットワークへのアクセスに用いるアクセス情報及び前記アクセスの履歴を表す履歴情報を含むユーザ情報を保持する保持部と、ユーザ情報の送受信を行い、保持部に保持されたユーザ情報を管理する基地局制御部と、を有する基地局装置との間でユーザ情報の送受信を行うとともに、基地局装置から取得したユーザ情報を管理する移動局制御部を有し、自己のユーザ情報をあらかじめ保持せず、電源ＯＮ後に、移動局制御部が基地局装置からユーザ情報を取得して一時的に保存する。【００１２】
また、本発明の基地局装置は、無線を介して接続される移動局装置の位置登録処理に用いる契約者情報、他の移動局装置やネットワークへのアクセスに用いるアクセス情報及び前記アクセスの履歴を表す履歴情報を含むユーザ情報を保持する保持部と、基地局装置との間でユーザ情報の送受信を行い、基地局装置から取得したユーザ情報を管理する移動局装置との間でユーザ情報の送受信を行うとともに、保持部に保持されたユーザ情報を管理する基地局制御部と、を有し、基地局制御部は、ユーザ情報をあらかじめ保持しない移動局装置の電源ＯＮ後に、当該移動局装置へユーザ情報を送信する。【００１３】
また、本発明の通信制御方法は、自己の位置登録処理に用いる契約者情報、他の装置やネットワークへのアクセスに用いるアクセス情報及び該アクセスの履歴を表す履歴情報を含むユーザ情報を予め保持しない移動局装置において、該移動局装置の電源ＯＮ後に、ユーザ情報を保持する保持手段を備える基地局装置に対してユーザ情報の取得要求を行い、基地局装置において、取得要求に応じて移動局装置に前記ユーザ情報を送信し、移動局装置において、基地局装置からユーザ情報を取得して一時的に保存する。【００１４】
また、本発明のプログラムが格納された記録媒体は、無線を介して接続される移動局装置から、当該移動局装置の位置登録処理に用いる契約者情報、他の移動局装置やネットワークへのアクセスに用いるアクセス情報及び前記アクセスの履歴を表す履歴情報を含むユーザ情報の取得要求を受信する処理と、当該取得要求に応じて移動局装置へユーザ情報を送信する処理と、をユーザ情報を保持する保持手段を備える基地局装置のコンピュータに実行させる。【００１５】
また、本発明のプログラムが格納された記録媒体は、位置登録処理に用いる契約者情報、他の装置やネットワークへのアクセスに用いるアクセス情報及び該アクセスの履歴を表す履歴情報を含むユーザ情報を保持する保持手段を備える基地局装置に対して、電源ＯＮ後に、ユーザ情報の取得要求を行う処理と、基地局装置から取得したユーザ情報を一時的に保存する処理と、を無線を介して基地局装置と接続し、ユーザ情報をあらかじめ保持しない移動局装置のコンピュータに実行させる。
【発明の効果】
【００１６】
本発明では、ユーザ情報を移動局装置内に保持せず移動通信インフラ（基地局装置等）内に保持し、ユーザ情報の必要な場合（Ａｔｔａｃｈ処理時や発信時等）に移動通信インフラから移動局装置へ一時的にユーザ情報を渡し、移動局装置から移動通信インフラへ動作履歴を渡し、移動局装置においてユーザ情報の不要となった場合（Ｄｅｔａｃｈ処理後や終話後等）に移動局装置内のユーザ情報を消去するため、移動局装置が紛失したりや盗難にあったりした場合にユーザ情報が第三者へ流出するリスクを最小化することが可能となる。
【図面の簡単な説明】
【００１７】
【図１】本発明が適用される移動通信システムの構成を示した図である。
【図２】本発明の実施形態に係る移動通信システムを含むネットワーク構成及び各装置の機能ブロックを示した図である。
【図３】本発明の実施形態における各装置の動作（ＡｔｔａｃｈとＤｅｔａｃｈを実施する場合）を示したシーケンスチャートである。
【図４】本発明の実施形態における各装置の動作（電話帳発信やｗｅｂ接続を実行する場合）を示したシーケンスチャートである。
【図５】本発明の実施形態における各装置の動作（着信する場合）を示したシーケンスチャートである。
【図６】本発明の実施形態における各装置の動作（電話帳発信やｗｅｂ接続を実行する場合）を示したシーケンスチャートである。
【図７】本発明の実施形態に係る移動通信システムを含むネットワーク構成及び各装置の機能ブロックを示した図である。
【図８】一般的な移動通信システムにおける各装置の動作（ＡｔｔａｃｈとＤｅｔａｃｈを実施する場合）を示したシーケンスチャートである。
【図９】一般的な移動通信システムにおける各装置の動作（発信や着信を行う場合）を示したシーケンスチャートである。
【発明を実施するための形態】
【００１８】
本発明では、移動局装置内にユーザ情報を持たずに、移動通信インフラ（基地局装置等）内にユーザ情報を持ち、必要に応じて移動局装置へユーザ情報を渡すことを特徴としている。すなわち、本発明の具体的な第１の特徴は、既存の移動通信システムにおいて移動局装置内に保持しているユーザ情報（ＵＳＩＭ情報、電話帳情報、発着信履歴、送受信メール、Ｂｏｏｋｍａｒｋ等）を移動局装置内に保持せず、移動通信インフラ内に保持していることである。また、本発明の具体的な第２の特徴は、ユーザ情報が必要な場合（Ａｔｔａｃｈ処理時や発信時等）に、移動通信インフラから移動局装置へ一時的にユーザ情報を渡し、移動局装置から移動通信インフラへ動作履歴を渡すことである。また、本発明の具体的な第３の特徴は、移動局装置にてユーザ情報が不要となった場合（Ｄｅｔａｃｈ処理後や終話後等）に、移動局装置内のユーザ情報を消去することである。
【００１９】
図１は、本発明が適用される移動通信システム１の構成を示した図である。当該移動通信システム１は、保持部３及び基地局制御部４を備える基地局装置２と、基地局装置２と無線を介して接続され、移動局制御部６を備える移動局装置５と、を有して構成される。基地局装置２において、保持部３は、移動局装置５の位置登録処理に用いる契約者情報、アクセスに用いるアクセス情報及びアクセスの履歴情報といったユーザ情報を保持する。尚、契約者情報は、移動局装置５にとっては、自己の位置登録処理に用いる情報といえる。また、基地局制御部４は、移動局装置５の要求に応じてユーザ情報の送受信を行い、保持部３内のデータ管理を行う。他方、移動局装置５において、移動局制御部６は、基地局装置２との間でユーザ情報の送受信を行い、取得したユーザ情報を管理する。また、移動局装置５では、ユーザ情報をあらかじめ保持せず、電源ＯＮ後、例えばＡｔｔａｃｈを実施する場合、電話帳を参照して発信する場合又はＢｏｏｋｍａｒｋを参照してｗｅｂ接続する場合といったユーザ情報の必要な場合に、移動局制御部６が基地局装置２からユーザ情報を取得して一時的に保持し、電源ＯＦＦ前（各処理が終了した後）に一時的に保持したユーザ情報を削除する。
【００２０】
このようにして、本発明では、あらかじめ移動局装置内にユーザ情報を保持せず、ユーザ情報が必要な処理が終了した後に消去するようにし、必要な場合以外は移動局装置内にユーザ情報を保持しないように構成しているため、移動局装置の紛失や盗難があった場合にユーザ情報を流出するリスクを最小化できる。
【００２１】
以下、図面を参照しながら、本発明の実施形態について説明する。なお、以下の述べる実施形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２２】
［第１の実施形態］
図２は、本発明の第１の実施形態である移動通信システムを含むネットワーク構成を示した図である。図２は、移動通信システムをなす移動局及び無線基地局の機能ブロックも表している。本実施形態の移動通信システムは、移動局１００、無線基地局１１０及び１２０を有して構成される。そして、本実施形態の移動通信システムは、無線基地局１１０の設置されたプライベートエリア１４０と、無線基地局１２０の設置されたパブリックエリア１５０と、ＣＮ（コアネットワーク）１３０とがスイッチ１６０を介して接続されている。
【００２３】
移動局１００は、無線ＩＦ部１０１、制御部１０２、表示部１０３、入力部１０４、メモリ１０５を備える。制御部１０２は、無線基地局１１０及び１２０、ＣＮ１３０との間の制御信号を解析し送受信する機能と、メモリ１０５に対してユーザ情報の保持や削除を指示する機能を有する。メモリ１０５は、ユーザ情報を一時的に保存するための記憶手段である。すなわち、メモリ１０５は、必要なとき以外はユーザ情報を保持せず、Ａｔｔａｃｈを行う場合や、電話帳を参照して発信する場合や、Ｂｏｏｋｍａｒｋを参照してｗｅｂ接続する場合等、必要な場合に制御部１０２の指示に従ってユーザ情報を一時的に保持する機能と、Ｄｅｔａｃｈ処理後や終話後等のユーザ情報が不要となった場合に制御部１０２の指示に従ってユーザ情報を消去する機能を有する。
【００２４】
また、無線ＩＦ部１０１は、無線基地局１２０との無線通信を行うための機能を有する。表示部１０３は、ディスプレイに相当する。入力部１０４は、ボタンキーや生態認証の入力機能に相当する。そして、無線ＩＦ部１０１、表示部１０３及び入力部１０４は、既存システムの機能と違いはない。
【００２５】
無線基地局１１０は、ＩＦ部１１１、制御部１１２、無線ＩＦ部１１３、ユーザデータ保存部１１４を備える。制御部１１２は、移動局１００やＣＮ１３０との間の制御信号を解析し送受信する機能と、ユーザデータ保存部１１４に対してユーザ情報の読み出しや更新を指示する機能を有する。ユーザデータ保存部１１４は、制御部１１２の指示に従って複数の移動局に対応するユーザデータを保持し更新する機能を有する。無線基地局１１０は、ユーザデータを保持しているので、オフィス内や飲食店内や自宅内等のプライベートエリア１４０内に無線基地局１１０を設置することが望ましい。
【００２６】
また、無線ＩＦ部１１３は、移動局１００との無線通信を行うための機能を有する。ＩＦ部１１１は、ＣＮ１３０や無線基地局１２０との通信を行うための機能を有する。そして、無線ＩＦ部１１３及びＩＦ部１１１は、既存システムの機能と違いはない。
【００２７】
以上、本実施形態の移動通信システムについて各装置（移動局、無線基地局）の構成を詳細に述べたが、パブリックエリア１５０内に設置する無線基地局１２０とＣＮ１３０とスイッチ１６０は、当業者にとってよく知られており、また本発明とは直接関係しないので、その詳細な構成は省略する。
【００２８】
次に本実施形態における各装置（図２の移動局１００と無線基地局１１０）の動作を、図３から図５に示すシーケンスチャートを使用して説明する。
【００２９】
図３は、ＡｔｔａｃｈとＤｅｔａｃｈを実施する場合のシーケンスチャートを示す。３ＧＰＰ（3rd Generation Partnership Project）では、移動局の電源をＯＮした際に実施される位置登録に相当する処理をＡｔｔａｃｈと呼ぶ。また、３ＧＰＰでは、電源ＯＦＦ時に実施される処理をＤｅｔａｃｈと呼ぶ。すなわち、先に述べたように、Ａｔｔａｃｈは、移動局がネットワークに対して位置登録する処理である。また、Ｄｅｔａｃｈは、ネットワークに対する位置登録を解除する処理である。なお、Ｄｅｔａｃｈが行われると、移動局のネットワークに対する位置登録が解除され、ネットワークは移動局がどこにいるのか知らない状態となる。
【００３０】
図３において、移動局１００は、電源ＯＮ（Ｓ１００）後に、移動局１００のユーザ情報を保存する無線基地局１１０との接続手順を実施（Ｓ１０１）する。そして、移動局１００から無線基地局１１０へ認証要求を行う（Ｓ１０２）。認証要求を受信した無線基地局１１０は、移動局１００についての認証（Ｓ１０３）を行った後、認証応答にＵＳＩＭ情報を含めて移動局１００へ送信する（Ｓ１０４）。このとき、無線基地局１１０で行う認証（Ｓ１０３）はユーザＩＤとパスワードでもよいし、生体認証を使用してもよい。続いて、ＵＳＩＭ情報を受信した移動局１００は、メモリ１０５にＵＳＩＭ情報を一時保存する（Ｓ１０５）。
【００３１】
次に、移動局１００は、保存しているＵＳＩＭ情報を使用してＡｔｔａｃｈ手順（Ｓ１０６）を実施し、待ち受け状態の画面を表示（Ｓ１０７）する。そして、移動局１００は、電源をＯＦＦにする場合、Ｄｅｔａｃｈ手順を実施（Ｓ１０８）した後、ＵＳＩＭ情報を消去（Ｓ１０９）して電源ＯＦＦを実施する（Ｓ１１０）。
【００３２】
図４は、電話帳を参照後に発信し終話する場合や、ＢｏｏｋＭａｒｋを参照してｗｅｂ接続し切断する場合のシーケンスチャートを示す。図４において、移動局１００は、待ち受け画面が表示された状態（Ｓ２００）から、移動局１００のユーザ情報を保存する無線基地局１１０との接続手順を実施（Ｓ２０１）する。そして、移動局１００は、無線基地局１１０へ認証要求を行う（Ｓ２０２）。無線基地局１１０は、移動局１００についての認証（Ｓ２０３）を行った後、認証応答を移動局１００へ送信（Ｓ２０４）する。続いて、移動局１００は、ユーザ情報要求を行い（Ｓ２０５）、無線基地局１１０は、ユーザ情報応答に電話帳やＢｏｏｋｍａｒｋ等の情報を含めて送信（Ｓ２０６）する。そして、移動局１００は、無線基地局１１０から受信した電話帳やＢｏｏｋｍａｒｋの情報をメモリ１０５に一時保存し、取得した情報の画面表示を行う（Ｓ２０７）。
【００３３】
次に、移動局１００は、発信手順の前に、発信先の番号やｗｅｂ  ａｄｄｒｅｓｓを含めて履歴情報を送信（Ｓ２０８）する。移動局１００からの履歴情報を受信した無線基地局１１０は、該履歴情報をユーザデータ保存部１１４に保存（Ｓ２０９）する。そして、移動局１００は、履歴情報を保存した無線基地局１１０からの履歴情報送信応答を受信（Ｓ２１０）後、発信手順（電話帳内の番号への発信、ｗｅｂ  ａｄｄｒｅｓｓへの接続）を行って（Ｓ２１１）接続中（通話又はｗｅｂ接続）の状態（Ｓ２１２）となる。その後、通話やｗｅｂ接続を終わる場合、移動局１００は、終話手順（通話又はｗｅｂ接続の切断）を実施（Ｓ２１３）後、一時保存していた電話帳やＢｏｏｋｍａｒｋの情報を消去（Ｓ２１４）して、待ち受け状態の画面を表示する（Ｓ２１５）。
【００３４】
なお、図４においては、発信とｗｅｂ接続の動作例を説明しているが、図４の動作は、宛先を指定してメールを作成して送信する等のユーザデータを参照して指定し、移動通信インフラへ送信する全ての動作に応用可能である。
【００３５】
図５は、着信し終話する場合のシーケンスチャートを示す。図５において、移動局１００は、待ち受け画面が表示された状態（Ｓ３００）からＰａｇｉｎｇを受信（Ｓ３０１）し、着信手順を実施して相手先番号を認識（Ｓ３０２）する。そして、移動局１００は、相手先番号の一時保存と画面表示を行う（Ｓ３０３）。
【００３６】
次に、移動局１００は、着信した相手先番号を含めて履歴情報送信を無線基地局１１０に送信（Ｓ３０４）する。無線基地局１１０は、移動局１００から受信した着信先番号を含む履歴情報をユーザデータ保存部１１４に保存（Ｓ３０５）する。続いて、移動局１００は、無線基地局１１０からの履歴情報送信応答を受信（Ｓ３０６）後、接続中の状態（Ｓ３０７）となる。そして、移動局１００は、通話を終わる場合、終話手順を実施（Ｓ３０８）後、一時保存していた相手先番号を消去（Ｓ３０９）して、待ち受け状態の画面を表示する（Ｓ３１０）。
【００３７】
本実施形態の第１の効果は、既存の移動通信システムにおいて移動局が持っていたユーザ情報を移動局内に保持せず、移動通信インフラ内に保持し、移動局はＡｔｔａｃｈや発信時等のユーザデータが必要な場合にユーザ情報を取得し、Ｄｅｔａｃｈや終話時にユーザ情報を消去しているので、移動局の紛失や盗難時にユーザ情報を失わずに、ユーザ情報の流出を防止できることである。
【００３８】
また、本実施形態の第２の効果は、必要な場合以外は移動局内にユーザ情報を保持しないので、移動局の記憶容量を少なくでき、また安価な移動局の提供が可能となることである。
【００３９】
また、本実施形態の第３の効果は、移動通信インフラ内に保持するユーザ情報へアクセスする場合、移動局は固定せずにユーザＩＤとパスワードや生体認証により認証しているので、他人の移動局やレンタルの移動局や他事業者の移動局でユーザ情報へのアクセスできることである。
【００４０】
また、本実施形態の第４の効果は、発信や着信時に動作履歴を移動局から移動通信インフラへ渡しているので、移動局の発信履歴や着信履歴等の動作履歴をリアルタイムに更新できることである。
【００４１】
また、本実施形態の第５の効果は、無線基地局内に複数の移動局のユーザ情報（契約者情報、電話帳情報、履歴情報等）を保存しているので、ユーザ情報を保存している無線基地局を会社内に設置し管理することによって、会社は従業員に貸与する移動局のユーザ情報や動作履歴を管理できることである。
【００４２】
［第２の実施形態］
本発明の第２の実施形態では、その基本的な構成は第１の実施形態と同様であるが、発信手順や終話手順を基地局とＣＮ間で行うように工夫しており、図６にシーケンスチャートを示す。
【００４３】
図６において、移動局１００は、待ち受け画面の表示（Ｓ４００）から、メモリ１０５にユーザ情報（電話帳やＢｏｏｋｍａｒｋ）を一時保存する（Ｓ４０７）までは、図４の動作と同様である。そのため、ステップＳ４００からＳ４０７の処理の説明は省略する。本実施形態では、移動局１００は、例えば、電話帳内の番号への発信又はｗｅｂ  ａｄｄｒｅｓｓへの接続といった接続要求（Ｓ４０８）を無線基地局１１０に送信する。そして、無線基地局１１０は、発信番号等の履歴情報をユーザデータ保存部１１４に保存（Ｓ４０９）した後、ＣＮ１３０との間で発信手順（発信又はＷｅｂ接続）を実施（Ｓ４１０）し、移動局１００へ接続応答を送信（Ｓ４１１）する。
【００４４】
その後は、移動局１００は、無線基地局１２０及び１１０を経てＣＮ１３０との間で接続中状態（通話又はＷｅｂ接続）となる（Ｓ４１２）。さらに、終話時に、移動局１００は無線基地局１１０へ切断要求を送信（Ｓ４１３）し、無線基地局１１０はＣＮ１３０との終話手順（通話又はＷｅｂ接続の切断）を完了（Ｓ４１４）した後、移動局１００へ切断応答を送信（Ｓ４１５）する。切断応答を受信した移動局１００は、一時保存していたユーザ情報を消去（Ｓ４１６）し、待ち受け画面が表示された状態となる（Ｓ４１７）。
【００４５】
本実施形態では、移動局１００の発信手順や終話手順を無線基地局１１０とＣＮ１３０の間で行うように構成しており、２者間での処理に完結しているため、通話状態やｗｅｂ接続状態がより迅速に確立される。
【００４６】
［第３の実施形態］
本発明の第３の実施形態として、ユーザデータを保存する機能をＣＮ内に持たせた構成を図７に示す。
【００４７】
図７において、移動局１００は図２の構成と同様であるが、ユーザデータを保存する機能をＣＮ１３０内のデータ蓄積局１７０に持っている点で異なる。データ蓄積局１７０は、制御部１７１、ＩＦ部１７２、ユーザデータ保存部１７３を備える。制御部１７１は、移動局１００、ＣＮ１３０内の他の装置との間の制御信号を解析し送受信する機能と、ユーザデータ保存部１７３に対してユーザ情報の読み出しや更新を指示する機能を有する。ユーザデータ保存部１７３は、制御部１７１の指示に従ってユーザデータを保持し更新する機能を有する。ＩＦ部１７２は、ＣＮ１３０内の他の装置との間や無線基地局１２０との間の通信を行うための機能を有する。なお、図７の構成における動作は、図３から図５や図６のシーケンスチャートと同様である。
【００４８】
本実施形態では、ＣＮ１３０内に各移動局のユーザ情報を保存するデータ蓄積局１７０を設けて管理するように構成しているため、移動通信事業者が移動局のユーザデータと動作履歴を容易に管理できるという効果が得られる。
【００４９】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００５０】
すなわち、本実施形態における移動通信システムで実行されるプログラムは、先に述べた各部（移動局制御部、基地局制御部）を含むモジュール構成となっており、実際のハードウェアを用いて具体的手段を実現する。すなわち、コンピュータ（ＣＰＵ）が所定の記録媒体からプログラムを読み出して実行することにより上記各手段が主記憶装置上にロードされ、移動局制御部、基地局制御部が主記憶装置上に生成される。
【００５１】
または、本実施形態における基地局装置のコンピュータで実行されるプログラムは、無線を介して接続される移動局装置から、当該移動局装置の位置登録処理に用いる契約者情報、他の移動局装置やネットワークへのアクセスに用いるアクセス情報及び前記アクセスの履歴を表す履歴情報を含むユーザ情報の取得要求を受信する処理と、当該取得要求に応じて前記移動局装置へ前記ユーザ情報を送信する処理と、を含むモジュール構成である。そして、当該プログラムが実行される基地局装置は、少なくともユーザ情報を保持する保持手段を備える。
【００５２】
また、本実施形態における移動局装置のコンピュータで実行されるプログラムは、位置登録処理に用いる契約者情報、他の装置やネットワークへのアクセスに用いるアクセス情報及び前記アクセスの履歴を表す履歴情報を含むユーザ情報を保持する保持手段を備える基地局装置に対して、電源ＯＮ後に、前記ユーザ情報の取得要求を行う処理と、前記基地局装置から取得した前記ユーザ情報を一時的に保存する処理と、を含むモジュール構成である。そして、当該プログラムが実行される移動局装置は、少なくとも無線を介して基地局装置と接続し、ユーザ情報をあらかじめ保持しないものである。
【００５３】
さらに、本実施形態における移動局装置のコンピュータで実行されるプログラムは、当該移動局装置が他の移動局装置やネットワークへのアクセスを行う場合、前記基地局装置に前記履歴情報を送信する処理と、前記履歴情報を受信した前記基地局装置から、当該履歴情報を用いて前記保持手段に保存されたユーザ情報を更新した旨の応答を受信する処理と、を含むとよい。
【００５４】
本実施形態における移動通信システムで実行されるプログラムは、インターネット等のネットワークに接続されたコンピュータ上に格納され、ネットワーク経由でダウンロードさせることにより提供されるように構成してもよい。また、上記プログラムをインターネット等のネットワーク経由で提供あるいは配布するように構成してもよい。
【００５５】
また、上記プログラムは、インストール可能な形式又は実行可能な形式のファイルで、フロッピー（登録商標）ディスク、ハードディスク、磁気ディスク、光ディスク、光磁気ディスク、ＣＤ−ＲＯＭ（Compact Disc Read Only Memory）、ＣＤ−Ｒ（Compact Disc Recordable）、ＤＶＤ（Digital Versatile Disc）、ＢＤ(Blu-ray(登録商標) Disc)、ＲＯＭ（Read Only Memory）カートリッジ、バッテリバックアップ付きＲＡＭ（Random Access Memory）メモリカートリッジ、フラッシュメモリカートリッジ、不揮発性のメモリカード等のコンピュータで読み取り可能な記録媒体に記録されて提供されるように構成してもよい。また、上記プログラムは、ＲＯＭ等にあらかじめ組み込んで提供するように構成してもよい。
【００５６】
この場合、上記記録媒体から読み出された又は通信回線を通じてロードし実行されたプログラムコード自体が前述の実施形態の機能を実現することになる。そして、そのプログラムコードを記録した記録媒体は本発明を構成する。
【００５７】
以上、実施の形態を参照して本願発明を説明したが、本願発明は上記によって限定されるものではない。本願発明の構成や詳細には、発明のスコープ内で当業者が理解し得る様々な変更をすることができる。
【００５８】
この出願は、２００９年１月１５日に出願された日本出願特願２００９−００６２４７を基礎とする優先権を主張し、その開示の全てをここに取り込む。
【符号の説明】
【００５９】
１    移動通信システム
２    基地局装置
３    保持部
４    基地局制御部
５    移動局装置
６    移動局制御部
１００    移動局
１０１，１１３    無線ＩＦ部
１０２，１１２，１７１    制御部
１０３    表示部
１０４    入力部
１０５    メモリ
１１０，１２０    無線基地局
１１１，１７２    ＩＦ部
１１４，１７３    ユーザデータ保存部
１３０    ＣＮ（コアネットワーク）
１４０    プライベートエリア
１５０    パブリックエリア
１６０    スイッチ
１７０    データ蓄積局
【図１】
0005387587.tif 000002
【図２】
0005387587.tif 000003
【図３】
0005387587.tif 000004
【図４】
0005387587.tif 000005
【図５】
0005387587.tif 000006
【図６】
0005387587.tif 000007
【図７】
0005387587.tif 000008
【図８】
0005387587.tif 000009
【図９】
0005387587.tif 000010